(57)【要約】【課題】少ない部材から構成され、かつ短時間で垂直管に取り付けることができる作業用踏み台を提供する。【解決手段】作業用踏み台１は、垂直管１０のフランジ１１の上方に配置される足場板２と、フランジ１１と足場板２に固定される少なくとも２つの支持部材３，３と、支持部材３，３と足場板２との間を延びる少なくとも２つの補強部材４，４とを備える。【選択図】図１
2017048518.tif 000002
【特許請求の範囲】
【請求項１】
垂直管のフランジの上方に配置される足場板と、
前記フランジと前記足場板に固定される少なくとも２つの支持部材と、
前記支持部材と前記足場板との間を延びる少なくとも２つの補強部材とを備えたことを特徴とする作業用踏み台。
【請求項２】
前記足場板は、前記垂直管の外周面の一部を囲む凹部を備えていることを特徴とする請求項１に記載の作業用踏み台。
【請求項３】
前記支持部材の下端は、前記フランジに取り付けられた複数のボルトおよび複数のナットの一部によって前記フランジに固定されていることを特徴とする請求項１または２に記載の作業用踏み台。
【請求項４】
前記支持部材は、前記垂直管に沿って鉛直に延びており、前記補強部材は、前記支持部材から前記足場板まで斜めに延びていることを特徴とする請求項１乃至３のいずれか一項に記載の作業用踏み台。
【請求項５】
前記補強部材は、その全長が可変に構成されていることを特徴とする請求項１乃至４のいずれか一項に記載の作業用踏み台。
【発明の詳細な説明】
【技術分野】
【０００１】
本発明は、作業員が高所作業を行うための踏み台に関するものである。
【背景技術】
【０００２】
大型ポンプの吸込管などの垂直管の上部で作業を行う場合、垂直管の周囲に足場を組み立て、足場が完成した後に、作業員が作業を行うことが一般的である。しかしながら、足場を垂直管を囲むようにして組み立てると、足場に必要な部材の数が多くなり、多くの費用が掛かる。さらに、足場の組み立てが完成するまでに長い時間が掛かり、その間、作業員は作業を行うことができない。
【発明の概要】
【発明が解決しようとする課題】
【０００３】
本発明は、上述した従来の問題点に鑑みてなされたもので、少ない部材から構成され、かつ短時間で垂直管に取り付けることができる作業用踏み台を提供することを目的とする。
【課題を解決するための手段】
【０００４】
上述した目的を達成するために、本発明の一態様は、垂直管のフランジの上方に配置される足場板と、前記フランジと前記足場板に固定される少なくとも２つの支持部材と、前記支持部材と前記足場板との間を延びる少なくとも２つの補強部材とを備えたことを特徴とする作業用踏み台である。
【０００５】
本発明の好ましい態様は、前記足場板は、前記垂直管の外周面の一部を囲む凹部を備えていることを特徴とする。
本発明の好ましい態様は、前記支持部材の下端は、前記フランジに取り付けられた複数のボルトおよび複数のナットの一部によって前記フランジに固定されていることを特徴とする。
本発明の好ましい態様は、前記支持部材は、前記垂直管に沿って鉛直に延びており、前記補強部材は、前記支持部材から前記足場板まで斜めに延びていることを特徴とする。
本発明の好ましい態様は、前記補強部材は、その全長が可変に構成されていることを特徴とする。
【発明の効果】
【０００６】
垂直管のフランジを利用することによって、作業用踏み台を構成する構成要素の数を少なくすることができる。さらに、少ない構成要素から構成された作業用踏み台は容易に垂直管に取り付けることができるので、作業用踏み台を組み立てる時間を短縮することができる。
【図面の簡単な説明】
【０００７】
【図１】作業用踏み台の一実施形態を示す模式図である。
【図２】作業用踏み台を横から見た図である。
【図３】足場板を上から見た図である。
【図４】支持部材を示す正面図である。
【図５】図４のＡ−Ａ線断面図である。
【図６】締結具によって支持部材に固定された足場板を示す図である。
【図７】締結具によってフランジに固定された支持部材を示す図である。
【図８】補強部材を示す図である。
【図９】ボルトと支持部材との間に差し込まれた差し込み部材を示す図である。
【図１０】足場板を下から見た図である。
【図１１】突起部に係合した係合部材を示す図である。
【発明を実施するための形態】
【０００８】
本発明の実施形態について、図面を用いて説明する。図１は作業用踏み台１の一実施形態を示す模式図である。図２は作業用踏み台１を横から見た図である。作業用踏み台１は、垂直管１０のフランジ１１の上方に配置される足場板２と、フランジ１１と足場板２とに固定される支持部材３，３と、支持部材３，３と足場板２との間を延びる補強部材４，４とを備えている。足場板２は垂直管１０が延びる方向に対して垂直に配置されており、支持部材３，３は垂直管１０に沿って鉛直に延びており、補強部材４，４は支持部材３，３から足場板２まで斜めに延びている。本実施形態では、２つの支持部材３，３および２つの補強部材４，４が設けられているが、３つ以上の支持部材３および３つ以上の補強部材４を設けてもよい。
【０００９】
垂直管１０は上側垂直管１０ａと下側垂直管１０ｂとから構成されている。上側垂直管１０ａの下端には上側フランジ１１ａが形成されており、下側垂直管１０ｂの上端には下側フランジ１１ｂが形成されている。フランジ１１は上側フランジ１１ａと下側フランジ１１ｂとから構成されている。上側フランジ１１ａと下側フランジ１１ｂは、締結具としての複数のボルト２６および複数のナット２７によって互いに固定されている。
【００１０】
図３は足場板２を上から見た図である。図３に示すように、足場板２は矩形形状を有しており、作業員が足場板２上で作業できる程度に広い面積を有している。足場板２は、垂直管１０の外周面の一部を囲む凹部１４と、凹部１４に設けられた固定部１５，１５とを備えている。固定部１５，１５には、切り欠き１５ａ，１５ａが形成されている。足場板２は２つの支持部材３，３（図１参照）によって支持されている。
【００１１】
２つの支持部材３，３は同一の構成を有しているため、以下、図面を参照して一方の支持部材３について説明する。図４は支持部材３を示す正面図である。図５は図４のＡ−Ａ線断面図である。支持部材３は、上壁３ａと、底壁３ｂと、左側壁３ｃと、右側壁３ｄと、垂直壁３ｅとを備えている。これら壁３ａ〜３ｅによって支持部材３が構成される。上壁３ａおよび底壁３ｂには、鉛直方向に延びる貫通孔２０，２０がそれぞれ形成されている。
【００１２】
足場板２の高さは支持部材３の長さによって変わる。したがって、長さの異なる複数組の支持部材３を予め用意し、これら複数組の支持部材３から選択された１組の支持部材３を使用して作業用踏み台１を構成してもよい。
【００１３】
図６は締結具によって支持部材３に固定された足場板２を示す図である。足場板２は支持部材３，３の上端（より具体的には、上壁３ａ）に固定されている。足場板２の固定部１５の切り欠き１５ａと支持部材３に形成された貫通孔２０とを一直線上に並べた状態で、固定部１５を支持部材３の上壁３ａに、締結具（第１の締結具）としてのボルト１６およびナット１７によって固定する。より具体的には、ボルト１６を切り欠き１５ａおよび貫通孔２０に挿入し、ボルト１６を上壁３ａの下面に配置されたナット１７に螺合させる。ボルト１６を締め付けることにより、足場板２は支持部材３に固定される。
【００１４】
支持部材３，３の下端（より具体的には、底壁３ｂ）はフランジ１１に取り付けられた複数のボルト２６および複数のナット２７の一部によってフランジ１１に固定されている。図７は締結具（ボルト２６およびナット２７）によってフランジ１１に固定された支持部材３を示す図である。図７において、補強部材４の図示は省略されている。
【００１５】
図７に示すように、支持部材３の底壁３ｂはフランジ１１（より具体的には、上側フランジ１１ａ）上に置かれ、支持部材３は、締結具（第２の締結具）としてのボルト２６およびナット２７によってフランジ１１に固定される。より具体的には、ボルト２６は、底壁３ｂに形成された貫通孔２０およびフランジ１１に形成された挿通孔１１ｃに挿入され、フランジ１１（より具体的には、下側フランジ１１ｂ）の下面に配置されたナット２７に螺合される。ボルト２６を締め付けることにより、支持部材３はフランジ１１に固定される。
【００１６】
支持部材３，３と足場板２との間には、足場板２を補強するための補強部材４，４（図１参照）が斜めに延びている。これら補強部材４，４の構成は同一であるため、以下、図８を参照して、一方の補強部材４について説明する。図８は補強部材４を示す図である。図８に示すように、補強部材４は、保持枠３０と、保持枠３０の一端に連結された差し込み部材３１と、保持枠３０の他端に連結された係合部材３２とを備えている。
【００１７】
差し込み部材３１は矩形形状を有する矩形部３１ａと、矩形部３１ａから延びるねじ部３１ｂとから構成されており、係合部材３２はリング形状を有するリング部３２ａとリング部３２ａから延びるねじ部３２ｂとから構成されている。保持枠３０の両端部にはねじ穴（図示しない）が形成されており、差し込み部材３１のねじ部３１ｂおよび係合部材３２のねじ部３２ｂは、これらねじ穴にそれぞれ螺合されている。
【００１８】
補強部材４はその全長が可変に構成されている。すなわち、保持枠３０を一方向に回転させて、差し込み部材３１および係合部材３２を互いに近づく方向に移動させることにより、補強部材４の全体の長さを短くすることができる。保持枠３０を逆方向に回転させて、差し込み部材３１および係合部材３２を互いに離れる方向に移動させることにより、補強部材４の全体の長さを長くすることができる。このようにして、補強部材４の長さを自在に変えることができる。より長い矩形部３１ａを使用することによって、補強部材４の全体の長さを長くしてもよい。逆に、より短い矩形部３１ａを使用することによって、補強部材４の全体の長さを短くしてもよい。
【００１９】
図９はボルト２６と支持部材３との間に差し込まれた差し込み部材３１を示す図である。図９において、支持部材３は断面で図示されている。図９に示すように、差し込み部材３１の矩形部３１ａはボルト２６と支持部材３の垂直壁３ｅとの間に差し込まれている。矩形部３１ａはボルト２６の頭部、垂直壁３ｅ、および底壁３ｂに接触している。
【００２０】
図１０は足場板２を下から見た図であり、図１１は突起部４０に係合した係合部材３２を示す図である。図１０に示すように、足場板２は、複数のリブ３５と、これらリブ３５の一部に固定された突起部４０，４０とを備えている。足場板２の下面には複数のリブ３５が交差するように配置されている。突起部４０の数は補強部材４の数に対応している。図１１に示すように、係合部材３２のリング部３２ａは突起部４０に係合している。
【００２１】
このように、補強部材４，４を支持部材３，３から足場板２まで斜めに延ばすことにより、足場板２を補強することができる。本実施形態によれば、差し込み部材３１をボルト２６と支持部材３との間に差し込み、さらに係合部材３２を突起部４０に係合させるだけの簡単な方法によって、足場板２を補強することができる。
【００２２】
本実施形態によれば、フランジ１１を利用して作業用踏み台１が垂直管１０に取り付けられるので、作業用踏み台１を構成する構成要素の数を少なくすることができる。さらに、比較的少ない構成要素（すなわち、足場板２、支持部材３，３、および補強部材４，４）から構成された作業用踏み台１は垂直管１０に容易に取り付けることができるので、作業用踏み台１を取り付けるための時間を短縮することができる。したがって、作業の中断時間を短縮することができる。
【００２３】
さらに、作業用踏み台１の構成要素は少なく、簡単な構造を有しているため、作業用踏み台１を製作するためのコストを低減することができる。
【００２４】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲に解釈されるものである。
【符号の説明】
【００２５】
１      作業用踏み台
２      足場板
３      支持部材
３ａ      上壁
３ｂ      底壁
３ｃ      左側壁
３ｄ      右側壁
３ｅ      垂直壁
４      補強部材
１０      垂直管
１０ａ    上側垂直管
１０ｂ    下側垂直管
１１      フランジ
１１ａ    上側フランジ
１１ｂ    下側フランジ
１１ｃ    挿通孔
１４      凹部
１５      固定部
１５ａ    切り欠き
１６      ボルト
１７      ナット
２０      貫通孔
２６      ボルト
２７      ナット
３０      保持枠
３１      差し込み部材
３１ａ    矩形部
３１ｂ    ねじ部
３２      係合部材
３２ａ    リング部
３２ｂ    ねじ部
３５      リブ
４０      突起部
【図１】
2017048518.tif 000003
【図２】
2017048518.tif 000004
【図３】
2017048518.tif 000005
【図４】
2017048518.tif 000006
【図５】
2017048518.tif 000007
【図６】
2017048518.tif 000008
【図７】
2017048518.tif 000009
【図８】
2017048518.tif 000010
【図９】
2017048518.tif 000011
【図１０】
2017048518.tif 000012
【図１１】
2017048518.tif 000013